(57)【要約】【課題】排水処理水の噴霧量が多い場合でも、発電量の減少を最小限に抑えることのできる廃棄物熱処理システムを提供する。【解決手段】廃棄物焼却炉１と、廃棄物焼却炉１から排出される排ガスの熱を回収するボイラ２と、ボイラ２通過後の排ガスに冷却水を噴霧する減温塔３と、減温塔３通過後の排ガスを浄化処理する集塵装置６と、集塵装置６通過後の排ガスを昇温するガス再加熱器７と、ガス再加熱器７通過後の排ガス中の窒素酸化物を除去する触媒脱硝装置８と、触媒脱硝装置８通過後の排ガスを誘引する誘引通風機１０と、誘引通風機１０通過後の排ガスを大気に放出する煙突１１とを備えるものにおいて、触媒脱硝装置８と誘引通風機１０との間の排ガス経路に冷却水を噴霧する冷却水噴霧装置９を設ける。【選択図】図１
2009236363.tif 000002
【特許請求の範囲】
【請求項１】
廃棄物焼却炉と、前記廃棄物焼却炉から排出される排ガスの熱を回収するボイラと、前記ボイラ通過後の排ガスに冷却水を噴霧する減温塔と、前記減温塔通過後の排ガスを浄化処理する集塵装置と、前記集塵装置通過後の排ガスを昇温するガス再加熱器と、前記ガス再加熱器通過後の排ガス中の窒素酸化物を除去する触媒脱硝装置と、前記触媒脱硝装置通過後の排ガスを誘引する誘引通風機と、前記誘引通風機通過後の排ガスを大気に放出する煙突とを備える廃棄物熱処理システムにおいて、
前記触媒脱硝装置と前記誘引通風機との間の排ガス経路に冷却水を噴霧する冷却水噴霧装置を設けることを特徴とする廃棄物熱処理システム。
【請求項２】
前記減温塔および冷却水噴霧装置に噴霧される冷却水として、当該廃棄物熱処理システムから発生する排水を処理する排水処理設備からの処理水が用いられる請求項１に記載の廃棄物熱処理システム。
【発明の詳細な説明】
【技術分野】
【０００１】
本発明は、ごみ焼却炉等の廃棄物の熱処理施設から排出される排ガスにより高効率発電を行う廃棄物熱処理システムに関するものである。
【背景技術】
【０００２】
ごみ焼却炉等の廃棄物の熱処理施設においては、この施設から発生する排水を処理するための排水処理設備が付設されており、この排水処理設備からの処理水（排水処理水）を当該施設内で再利用することが多い。一方、近年、未利用エネルギーの有効利用の観点から廃棄物の熱利用が促進され、この種の熱処理施設中にボイラを設置して熱回収を行うことが一般的に行われている。そこで、ボイラを設置した場合に、燃焼ガス冷却装置に使用されていた排水処理水をどの用途に使用するかということが新たな問題となってくる。
【０００３】
前記排水処理水の全量もしくは大部分を再利用する場合、最も有効な再利用の用途しては、排ガス減温水、言い換えればボイラから出た排ガス中に水を吹き込んでガス温度を下げ、バグフィルタなどの後続の排ガス処理設備に適した温度にするための水が挙げられる。
【０００４】
図２には、この種の従来の廃棄物熱処理システムの一例が示されている。この従来システムにおいては、焼却炉５１の排ガス出口にボイラ５２が設置されてそのボイラ５２にて熱回収がなされ、このボイラ５２からの蒸気によって蒸気タービン５３が駆動されて発電機５４が駆動される。ボイラ５２を通過した排ガスは減温塔５５にて冷却された後、バグフィルタ等の集塵装置５６に送られ、この集塵装置５６にて排ガス中のダストが除去される。さらに、集塵装置５６を通過した排ガスは、ガス再加熱器５７にて再加熱された後、触媒脱硝装置５８にて排ガス中の窒素酸化物が除去され、誘引送風機５９を介して煙突６０から大気に放出される。ここで、前記減温塔５５にて噴霧される排ガス減温水として、再利用水槽６１に貯留されている排水処理水が用いられる。
【０００５】
ところで、上述した従来システムにおいては、施設内で発生する余剰排水（排水処理水）を場外に放流できない場合または少量しか放流できない場合に、システム内の減温塔５５に全量または大部分の排水処理水を噴霧しなければならない。しかし、このように施設内の全量または大部分の排水処理水を減温塔５５で処理した場合、ボイラ５２の出口温度を高くしなければならず、結果的にボイラ５２の熱回収が減少し、発電量が減少してしまうという問題点がある。
【発明の開示】
【発明が解決しようとする課題】
【０００６】
本発明は、前述のような問題点を解消するためになされたもので、排水処理水の噴霧量が多い場合でも、発電量の減少を最小限に抑えることのできる廃棄物熱処理システムを提供することを目的とするものである。
【課題を解決するための手段】
【０００７】
前記目的を達成するために、本発明による廃棄物熱処理システムは、
廃棄物焼却炉と、前記廃棄物焼却炉から排出される排ガスの熱を回収するボイラと、前記ボイラ通過後の排ガスに冷却水を噴霧する減温塔と、前記減温塔通過後の排ガスを浄化処理する集塵装置と、前記集塵装置通過後の排ガスを昇温するガス再加熱器と、前記ガス再加熱器通過後の排ガス中の窒素酸化物を除去する触媒脱硝装置と、前記触媒脱硝装置通過後の排ガスを誘引する誘引通風機と、前記誘引通風機通過後の排ガスを大気に放出する煙突とを備える廃棄物熱処理システムにおいて、
前記触媒脱硝装置と前記誘引通風機との間の排ガス経路に冷却水を噴霧する冷却水噴霧装置を設けることを特徴とするものである。
【０００８】
ここで、前記減温塔および冷却水噴霧装置に噴霧される冷却水としては、当該廃棄物熱処理システムから発生する排水を処理する排水処理設備からの処理水が用いられるのが好ましい。
【発明の効果】
【０００９】
本発明によれば、触媒脱硝装置の後段に冷却水噴霧装置が配されているので、システム内への冷却水の噴霧量が多い場合であっても、ボイラの後段に設けられる減温塔への噴霧量を抑えることができる。このため、ボイラの出口温度を高くする必要がなく、高効率発電を達成することができる。また、冷却水噴霧装置の後段に配される誘引通風機へ入る排ガスの実ガス量を減少させることができるので、従来のものよりも動力の小さな誘引通風機を用いることができるという利点もある。
【００１０】
本発明において、減温塔および冷却水噴霧装置に噴霧される冷却水として、当該廃棄物熱処理システムから発生する排水を処理する排水処理設備からの処理水を用いるようにすれば、当該廃棄物処理システムからの排水を外部に放流することなく、熱回収を高効率に行うことができ、かつ排ガス量も低減することができる。
【発明を実施するための最良の形態】
【００１１】
次に、本発明による廃棄物熱処理システムの具体的な実施の形態について、図面を参照しつつ説明する。
【００１２】
図１には、本発明の一実施形態に係る廃棄物熱処理システムの全体構成図が示されている。
【００１３】
本実施形態の廃棄物熱処理システムにおいては、一般廃棄物もしくは産業廃棄物を焼却する焼却炉（熱処理装置）１が設けられ、この焼却炉１の排ガス出口にボイラ２が設置され、このボイラ２の後流側に減温塔（排ガス減温装置）３が設置されている。また、ボイラ２から発生する蒸気によって蒸気タービン４が駆動されて発電機５が駆動される。前記減温塔３の後流側にはバグフィルタ等の集塵装置６が設置され、この集塵装置６の後流側にガス再加熱器７、触媒脱硝装置８、冷却水噴霧装置（排水噴霧装置）９、誘引送風機１０および煙突１１がそれぞれ設置されている。
【００１４】
また、この廃棄物熱処理システムにおいては、当該システムから発生する排水を処理するための排水処理設備が付設されており、この排水処理設備からの処理水（排水処理水）が再利用水槽１２に貯留されている。前記減温塔３および排水噴霧装置９には、この再利用水槽１２に貯留された排水処理水が供給されることにより再利用される。
【００１５】
このような構成において、焼却炉１から排出される排ガスはボイラ２に導入されることによりそのボイラ２にて熱回収がなされ、このボイラ２からの蒸気によって蒸気タービン４および発電機５が駆動される。ボイラ２を通過した温度ｔ１の排ガスは減温塔３にて冷却されて所定温度以下に減温された後、集塵装置６に送られ、この集塵装置６にて煤塵、ＨＣｌ、ＳＯｘ、ダイオキシン類が除去される。さらに、集塵装置６を通過した排ガスは、ガス再加熱器７にて昇温された後、触媒脱硝装置８に送られて排ガス中の窒素酸化物（ＮＯｘ）が除去され、その後、排水噴霧装置９にて冷却水が噴霧されることにより減温され、誘引送風機１０にて吸引されて煙突１１から大気に放出される。
【００１６】
ここで、集塵装置６通過後の排ガス温度ｔ２は、酸性ガス除去薬剤の反応し易い温度である１５０℃〜１９０℃、好ましくは１６０℃である。また、ガス再加熱器７通過後の排ガス温度ｔ３は、触媒脱硝装置８におけるＮＯｘ除去効率の良い温度である１８０℃〜２３０℃、好ましくは２１０℃である。このように集塵装置６通過後の排ガス温度ｔ２が固定されるため、図２に示される従来システムでは、減温塔３に供給される冷却水の量が多くなると、ボイラ２通過後の排ガス温度ｔ１を上げる必要があり、排ガス温度ｔ１を上げると蒸気タービン４へ供給される蒸気の量が減って発電機５による発電量が減ることになる。
【００１７】
しかしながら、本実施形態のシステムでは、触媒脱硝装置８の後段側に排水噴霧装置９が設けられており、この排水噴霧装置９に対し、再利用水槽１２に貯留されている排水処理水が供給されるので、減温塔３に供給される排水処理水の量を減らすことができる。こうして、ボイラの出口温度を高くする必要がなくなり、高効率発電を達成することが可能となる。なお、排水噴霧装置９の前段側における排ガス温度ｔ４は、排水噴霧装置９における減温によって、排ガスが結露しない温度ｔ５（１２０℃〜１６０℃程度）にまで減温される。また、本実施形態のシステムによれば、排水噴霧装置９の後段に配される誘引通風機１０へ入る排ガスの実ガス量を減少させることができるので、従来のものよりも動力の小さな誘引通風機１０を用いることができる。
【００１８】
本実施形態において用いられる排水噴霧装置９は、減温塔３と同様の構成の減温塔であっても良いし、あるいは煙道に直接冷却水を噴霧するものであっても良い。
【産業上の利用可能性】
【００１９】
本発明は、ごみの焼却により発生する熱を利用して発電を行うごみ焼却発電システムに利用して好適なシステムである。
【図面の簡単な説明】
【００２０】
【図１】本発明の一実施形態に係る廃棄物熱処理システムの全体構成図
【図２】従来の廃棄物熱処理システムの全体構成図
【符号の説明】
【００２１】
１    焼却炉
２    ボイラ
３    減温塔
４    蒸気タービン
５    発電機
６    集塵装置
７    ガス再加熱器
８    触媒脱硝装置
９    冷却水噴霧装置（排水噴霧装置）
１０    誘引送風機
１１    煙突
１２    再利用水槽
【図１】
2009236363.tif 000003
【図２】
2009236363.tif 000004